(57)【要約】【課題】    本発明は、栓に外側への圧力がかかることなく、液状試料を封入できるＭＡＳ試料管を提供することを目的とする。【解決手段】  本発明のＭＡＳ試料管は、試料空間を圧縮することなく密閉できる栓をもち、その栓は、筒状の本体の内径よりも小さい外径に形成された弾性筒状体と、この筒状体の内部に挿入され、かつ前記弾性筒状体よりも硬質な挿入子とからなり、前記弾性筒状体が押し広げられ、その外周面が前記本体の内面に圧接して本体を密封するように、前記弾性筒状体の内径より大きい外径を有する部分が前記挿入子に形成されていることを特徴とする。【選択図】  図１
2010145104.tif 000002
【特許請求の範囲】
【請求項１】
管状の本体の少なくとも一方が、栓により開閉自在に密閉される構造を有し、本体の内部にＭＡＳ測定用の液状試料を封入するＭＡＳ試料管であって、前記栓は、前記本体の内径よりも小さい外径に形成された弾性筒状体と、この筒状体の内部に挿入され、かつ前記弾性筒状体よりも硬質な挿入子とからなり、前記弾性筒状体が膨張して、その外周面が前記本体の内面に圧接して本体を密封するように、前記弾性筒状体の内径より大きい外径を有する部分が前記挿入子に形成されていることを特徴とするＭＡＳ試料管。
【請求項２】
請求項１に記載のＭＡＳ試料管において、前記弾性筒状体の本体への挿入方向後端には、前記本体の内径より大きいフランジ状のストッパーが設けられていることを特徴とするＭＡＳ試料管。
【請求項３】
請求項１又は２に記載のＭＡＳ試料管において、試料管本体と一体化された攪拌子が、試料収納空間内に設けられていることを特徴とするＭＡＳ試料管。
【請求項４】
請求項１から３のいずれかに記載のＭＡＳ試料管において、前記弾性筒状体の頂部により区画された試料収納空間の一端部と前記挿入子の頂部との間に間隙を有さしめてあることを特徴とするＭＡＳ試料管。
【発明の詳細な説明】
【技術分野】
【０００１】
本発明は、管状の本体の少なくとも一方が、栓により開閉自在に密閉される構造を有し、本体の内部に液状試料を封入し、高速ＭＡＳ測定が可能なＭＡＳ試料管に関する。
【背景技術】
【０００２】
非特許文献１で公知のように、核磁気共鳴（ＮＭＲ）測定において、固体試料を測定する場合は、固体試料特有の異方性項を打ち消して、ＮＭＲ信号の線幅を小さくして測定精度を向上させる目的で、マジックアングルスピニング（ＭＡＳ）測定が行われる。ＭＡＳ測定では、試料は専用のＭＡＳ試料管内に保持され、特許文献１で公知のようなＭＡＳスピナーを用いて、静磁場の方向に対して特定の角度（５４．７度）傾いた軸上で高速回転させられる。回転数は、試料管の外径により最大値が制限され、一般には１〜９０ｋＨｚの範囲の値をとり、特に以下の実施例で扱っている外径４ｍｍの試料管の場合は１〜２０ｋＨｚである。一般に回転速度は大きければ大きいほど、ＭＡＳの効果が大きくなり望ましいが、回転速度を大きくできる外径の小さな試料管では、試料空間の容積が小さくなり、それに応じて信号強度が減少するので、目的に応じて使い分けることが要求される。外径４ｍｍの試料管は最高回転数と試料空間の容積とのバランスが良く汎用性が高いので、広く普及して用いられている。
ＭＡＳ試料管はもともと固体試料専用に開発されてきており、その場合、試料空間は固体粉末を封止できれば十分であり、気密性は特には重要視されてこなかった。
ところが、未硬化のエポキシ樹脂等の高粘度液体に代表される液体試料や生体膜上の蛋白質等に代表される湿潤試料、液中に触媒等の粒子や繊維が分散した懸濁液試料やゲル状試料、または、昇華性固体試料や特定雰囲気下における固体試料などを、気密を保ったままＭＡＳ測定を行いたいという要望が出てきた。本明細書においては、これらの、ＭＡＳ試料管に対して気密性を要求する試料を総称して液状試料と記す。
この要望にこたえるために、図１４に示すようなＭＡＳ試料管が提案された。
当該試料管では、上下栓（片方の蓋はタービン翼を兼ねる）は、硬質樹脂で出来ており、それぞれゴムのＯリングを有していて、前記Ｏリングを圧縮変形しながら圧入することにより、筒状の本体に取り付けられる。当該試料管は、このようにして試料管内の気密を保つ構造となっているので、上下栓の内、最後の栓を押し込むとき、Ｏリングが密着し始めてから、その栓が所定の位置に達するまでの間、試料空間を密閉したまま圧縮することになり、試料空間には体積圧縮を担う空気が残ってしまうこととなる。
このため、試料の充填率が悪くなり信号強度（Ｓ／Ｎ）的に不利なだけでなく、試料空間が正圧となり、栓には外れる方向の力が常に加わることとなる。これにより、ＭＡＳの高速回転中の振動で栓が外れてくる恐れがあり、ＭＡＳの最高回転数が制限される。
この他に、上下栓に比較的軟質な樹脂材料を用いて、気密を保つようにした例もあるが、この場合は樹脂部品の変形により最高回転数が制限されるため（４ｍｍ試料管で概ね８ｋＨｚ）、高速ＭＡＳ測定には利用できない。
【非特許文献１】実験化学講座８「ＮＭＲ・ＥＳＲ」第５版、日本化学会編、（丸善、２００６）
【特許文献１】特開２００３−１７７１７２
【発明の開示】
【発明が解決しようとする課題】
【０００３】
本発明は、このような実情に鑑み、栓に外側への圧力がかかることなく、液状試料を封入でき、固体試料の場合と同様の高速ＭＡＳ測定に利用できるＭＡＳ試料管を提供することを目的とする。
【課題を解決するための手段】
【０００４】
発明１のＭＡＳ試料管は、試料空間を圧縮することなく密閉できる栓をもち、その栓は、筒状の本体の内径よりも小さい外径に形成された弾性筒状体と、この筒状体の内部に挿入され、かつ前記弾性筒状体よりも硬質な挿入子とからなり、前記弾性筒状体が押し広げられ、その外周面が前記本体の内面に圧接して本体を密封するように、前記弾性筒状体の内径より大きい外径を有する部分が前記挿入子に形成されていることを特徴とする。
【０００５】
発明２は、発明１のＭＡＳ試料管において、前記弾性筒状体の本体への挿入方向後端には、前記本体の内径より大きいフランジ状のストッパーが設けられていることを特徴とする。
【０００６】
発明３は、発明１から２のいずれかのＭＡＳ試料管において、少なくとも一方の栓と嵌合し、試料管本体と一体となって回転運動する攪拌子が、試料収納空間内に設けられていることを特徴とする。
発明４は、発明１から３のいずれかのＭＡＳ試料管において、前記弾性筒状体の頂部により区画された試料収納空間の一端部と前記挿入子の頂部との間に間隙を有さしめてあることを特徴とする。
【発明の効果】
【０００７】
上記各発明のいずれについても、筒体内に余分な空気を残存せずに試料を密封することが可能になったので、信号強度を増大させることができた。
また、筒体内の試料保持空間に圧力をかけることなく、密封することができるので、ＭＡＳの最高回転数を従来の固体試料と同様なものとしても、栓が外れるおそれがなくなった。より具体的には以下のような機能によるものである。
発明１は上記のように栓を構成することにより、当該栓の主体である弾性筒状体を、本体に挿入される際には、本体との間に隙間を有することとなり、この栓を最後にして密封することで、本体内の余分な空気を圧縮することなく、外部に放出することができる。
その後、この弾性筒状体に挿入子を挿入することで、前記弾性筒状体はその径方向に膨らむこととなり、液状試料側に圧縮力を付加することなく、容易に弾性筒状体の外周を本体内面に密着できるようになった。
その結果、内部に液状試料のみを封入することが容易に行えると共に、内外の圧力差を生じずに液状試料を密封できるようになった。
さらに、発明２では、ストッパーによる弾性筒状体の入り込みを阻止できることから、挿入子を挿入するときに与えられる弾性筒状体への本体への侵入方向の分力をもこのストッパーにて受け止め、内部の試料に圧力をかけることがなくなった。
また、発明３では、試料収納空間内の液状試料が試料管本体とともに回転するにあたり、中央側での回転が遅れる若しくは回転しないという事態を防止して、試料全体を試料管とともに確実に回転させることができるようになる。
また、発明４では、硬質の挿入子は材質により測定を狂わせるおそれがあるが、このように間隙を設けることで、挿入子による外乱をなくすることができる。
【発明を実施するための最良の形態】
【０００８】
本発明の試料管は、以下の実施例に示すような各種の形態を有するものである。
弾性筒状体や上部栓の材料として、封入される試料との接触によっても化学変化を生じず、また、ＭＡＳの回転による遠心力を受けても、密封状態を保つ保形性と、挿入子や本体の挿入に際して弾性変形できる変形性を持ち合わせている材料であって、大きな磁化率を持っていたり、バックグラウンド信号等の原因となってＮＭＲ測定に悪影響をもたらす可能性がある不純物や添加物が含有されていないものであれば使用できる。
本明細書中で示した、「テフロン（登録商標）」および「ダイフロン（登録商標）」はそれぞれ「米国デュポン社」および「ダイキン工業株式会社」の登録商標である。本発明の実施に際して求められる材料の特性としては、必ずしも特定の商品ではなく、同等の組成や類似の特性をもつ素材でも満たされる。以下では、「ポリテトラフルオロエチレンおよびその類似品」を「テフロン（登録商標）」で代表し、また、「３弗化塩化エチレン樹脂およびその類似品」をダイフロン（登録商標）で代表して記述してある。
テフロン（登録商標）およびダイフロン（登録商標）は、適度の弾性や保形性の機械的物性と、化学的にも電気的に安定な性質を併せ持つため、弾性筒状体や上部栓の材料として、適している。テフロン（登録商標）は、ダイフロン（登録商標）に比べて弾性が大きいため、弾性筒状体の材料として、さらに適している。
【０００９】
また、挿入子や本体などの硬質部材に使用する材料としては、試料の封入による圧力やＭＡＳの回転による遠心力を受けても、変形しない保形性を持つ材料であって、大きな磁化率を持っていたり、バックグラウンド信号等の原因となってＮＭＲ測定に悪影響をもたらす可能性がある不純物や添加物が含有されていないものであれば使用できる。以下の実施例に示す機械的特性に優れた樹脂材料としてポリエーテルエーテルケトン（ＰＥＥＫ（登録商標）等）に代表される各種エンジニアリングプラスチックが挙げられる。加工性や機械的強度や耐熱温度等がＰＥＥＫと同等かそれ以上に優れた材料は他にも多数存在し、例として、ポリアミドイミド（ＴＩポリマー（登録商標）等）や熱可塑性ポリイミド樹脂（ＡＵＲＵＭ（登録商標）等）全芳香族ポリイミド樹脂（ベスペル（登録商標）等）などが挙げられる。以下で、ＰＥＥＫと記述してある場合は特に断りのない限り、これらのＰＥＥＫと同等以上の特性をもつエンジニアリングプラスチックに代替可能である。
【００１０】
また、構成部品は以下のように形成するのがより好ましい。
ＭＡＳ試料管は本体の円筒中心軸を軸として超高速回転するので、重心がずれることによる芯ぶれを防ぐため、各部品は、中心軸に対して回転対称的に形成しなければならない。
部品の加工精度に対しては、中心軸に対しての真円性や同芯性といった回転対象性に関する項目では、特に厳密な公差管理が要求される。また、部品の形状は特に断らない限り回転対称性を持つことが期待される。
【実施例１】
【００１１】
本実施例は、発明１の実施例を図１、図２を参照して説明する。
両端が解放された直線円筒状でセラミクス製の本体（１１０）の上部には、テフロン（登録商標）製の上栓（３０）と、挿入部（１２２）の上端にタービン翼（１２１）が付いたキャップ（１２０）が挿入され、下部には、弾性筒状体（１０）と、これに挿入される挿入子（２０）とからなる下栓が挿入される構造となっている。
前記タービン翼（１２１）については逆配置の構成とすること、すなわち、（１２０）を単なるキャップとし、硬質カバー（１５）に相当する部分にタービン翼を形成することも可能である。
前記上栓（３０）は、前記本体（１１０）の内面（１１２）の内径（ｄ）よりも大きい直径を有する膨出部（３１）を上下中間部に形成してあり、中央には、上方を解放したメクラ孔状の穿孔（３２）が形成してある。
この穿孔（３２）は、圧入時の上栓（３０）の素材によるバックグラウンド信号の影響を軽減するために設けられている。また、分解時にタッピングネジをねじ込んで把持して、本体（１１０）から引き出すために用いる。
このようにして、前記上栓（３０）は前記本体（１１０）に挿入したとき、膨出部（３１）が弾性変形しつつ本体内面（１１２）と密着し気密を保つことができる。また、上栓（３０）は、本体（１１０）への差し込み深さにより、前記下栓とによって形成される試料収納空間の大きさを調整できるようにしてある。
【００１２】
前記弾性筒状体（１０）は、直径（Ｄ）が前記本体（１１０）の内径（ｄ）よりもわずかに小さい弾性本体（１１）と、その中心部に形成した、下端を解放したメクラ孔状の挿入孔（１２）と、前記本体（１１）の下端に前記内径（ｄ）よりも大きいフランジ状のストッパー（１３）と、このストッパー（１３）を内包する環状の硬質カバー（１５）とにより構成されている。
前記硬質カバー（１５）は機械的強度に優れたＰＥＥＫ等の硬質樹脂とする。機械的強度が不足すると、ＭＡＳの高速回転中に変形するおそれがあるからである。
また、挿入子（２０）は、全体としては前記挿入孔（１２）の内径と同様な外形を基本とし、上端部と下部の二か所に、前記挿入孔（１２）の内径よりも大きく、その挿入により前記弾性筒状体（１０）の外径を前記本体（１１０）の内径（ｄ）よりも大きくなるほどに膨張させる膨出部（２１）（２２）と、下端を解放したメクラ孔状の穿孔（２３）とにより構成してある。
【００１３】
試料封入するときは、前記上栓（３０）を装着した前記セラミック本体（１１０）を上下反転して、前記上栓を下にした立ち位置に保持し、液状試料（Ｓ）を適量注入し、その後にこの弾性筒状体（１０）を硬質カバー（１５）を上にして本体（１１０）内に入れてゆくと、弾性筒状体（１０）の頂点が、前記液状試料（Ｓ）内に接し、それまでに存在した空気をすべて本体（１１０）外に排出する。
そして、挿入子（２０）を前記弾性筒状体（１０）内に図２に示すように挿入すると、前記挿入子（２０）の膨出部（２１）（２２）により、前記弾性筒状体（１０）の直径を拡大して、その空気を追い出した状態のままで、前記液状試料（Ｓ）に圧力を掛けることなく、密封することができた。
なお、前記穿孔（２３）は、分解時にタッピングネジをねじ込んで把持して、前記弾性筒状体（１０）から引き出すためのものである。
【００１４】
タービン翼キャップ（１２０）の挿入部（１２２）は、その外径が本体内面（１１２）よりも僅かに大きく成形されており、セラミック製本体（１１０）に圧入されることにより嵌め合いが可能となっている。キャップ（１２０）の材質は硬質樹脂（ＰＥＥＫ等）であり機械的には密着し固定されるが、気密は保たれない。このとき、前記上栓（３０）は前記キャップ（１２０）に押される形で所定の位置に達する。
なお、前記キャップ（１２０）を挿入する前に、前記上栓（３０）を突き棒などで押し込むか、あるいは適当な円柱状のスペーサを挿入することで、前記キャップ（１２０）による押し込み位置以上に深い位置に前記上栓（３０）を配置することが可能である。
【００１５】
テフロン（登録商標）等の軟質樹脂からなる前記弾性筒状体（１０）はＰＥＥＫ等の硬質樹脂からなる硬質カバー（１５）に圧入することにより一体化してある。前記弾性筒状体（１０）の本体（１１）の外径（Ｄ）とセラミクス製本体（１１０）の内面（１１２）の内径（ｄ）との嵌め合いは、０．０２〜０．１ｍｍ程度の僅かな隙間を持つように設定されており、余分な空気（場合によっては試料も）は隙間から排出される。
【００１６】
前記挿入子（２０）は、ＰＥＥＫ等の硬質樹脂からなり、前記弾性筒状体（１０）の挿入孔（１２）に圧入される。この間、弾性筒状体（１０）は、硬質カバー（１５）部分がセラミクス製本体（１１０）に接して、移動しないように強く保持されている。前記挿入子（２０）は先端部と中間部との二箇所に膨出部（２１）（２２）をもち、そこに対応する部分において、弾性筒状体（１０）の弾性本体（１１）に弾性変形および弾性圧縮をもたらす。
変形により弾性筒状体（１０）の該当箇所はセラミクス製本体（１１０）の内面に密着し、気密が保たれる。二箇所で密着することにより、機械的にも芯ぶれなく密着する。
以上で試料管の準備が完了する。ＮＭＲ測定等を行うことができる。
【００１７】
分解するときは、先ず、挿入子（２０）の穿孔（２３）に冶具のタッピングネジをねじ込んで把持し、引き抜く。弾性筒状体（１０）を外し、液状試料を回収するなり廃棄するなりする。キャップ（１２０）は液体窒素等に漬けて冷却し、樹脂部品が体積収縮して嵌め合いがゆるくなったところを冶具で掴んで引き抜く。上栓（３０）は棒状の冶具で押し出して外す。
【００１８】
＜実施例１の検証＞
気密性を検証するため、外径４ｍｍの実施例１の試料管を用いて、流動性の非常に大きな液状試料であるメタノールを上記の手順で封入した。直径２．６ｍｍ長さ６ｍｍの試料空間（０．０３１９ｍｌ）に２５．５ｍｇのメタノールが封入された。これは、室温におけるメタノールの比重（０．７９３ｇ／ｍｌ）から逆算すると１％の誤差の範囲内でほぼ１００％に相当する。室内に長時間放置した場合の重量の変化は、一週間で０．１ｍｇ以下であった。また、試料充填直後に１２ｋＨｚで１時間ＭＡＳを行ったところ、０．２ｍｇの重量の減少が測定された。引き続き、２０ｋＨｚでＭＡＳを行ったところ、１時間後に重量の減少量は０．１ｍｇであった。さらに引きつつき、１６ｋＨｚで４８時間ＭＡＳを行ったところ、実験の前後で重量に変化は観測されなかった。この間の重量の測定誤差については、重量計測に用いた秤の最小目盛りは０．１ｍｇであるので、それと同程度と予想される。これらの結果から、隙間に残された僅かな量が、回転初期に減じる以外は、試料の漏れはほとんど無く、２０ｋＨｚに達する高速ＭＡＳに用いることが出来ることが分った。蒸発し難い試料の場合で、隙間に残された僅かな試料の漏れによる装置の汚染が問題となる場合は、試料封入後、アセトン等の適当な溶媒中を用いて超音波洗浄を行い、これを良く乾燥させてから用いるとよい。
【実施例２】
【００１９】
本実施例は、前記実施例１の弾性筒状体（１０）を、図３に示すように、弾性筒状体（１０ａ）に変更した以外は、前記実施例１と同様である。
弾性筒状体（１０ａ）の挿入孔（１２ａ）は、実施例１と同様な内径を有する下半部（１４ａ）とこれより小さい内径の上半部（１３ａ）とにより構成した。また、挿入子の第一の膨出部（２１）の外径は内径（１４ａ）と同程度に構成し、挿入子の第二の膨出部（２２）の外径が内径（１４ａ）よりも大きく構成した。
その他の点は、実施例１と同様なので同じ符号を付して説明を省略する。
挿入子（２０）を挿入して行くとき、挿入子の第一の膨出部（２１）は内径（１４ａ）の部分を抵抗無く通過できるため、弾性筒状体（１０ａ）に不必要な変形を強いることが少なく、予定外の変形による芯ぶれ等の心配が軽減されている。
【実施例３】
【００２０】
本実施例は、前記実施例２で示した弾性筒状体（１０ａ）に対応した挿入子（２０ａ）の変更例である。
以下、図４を参照しながら説明する。
本例の挿入子（２０ａ）は、前記弾性筒状体（１０ａ）の挿入孔（１２ａ）の大径部分（１４ａ）にネジ込まれる、雄ネジ部（２５）を中心に、その先端に前記小径部分（１３ａ）に入り込み可能な小径頭部（２４）が形成され、下端面に、マイナスドライバー挿入用の溝（２６）が設けてある構成とした。
このようにすることで、挿入子（２０ａ）を前記弾性筒状体（１０ａ）に挿入し、回転することで、セルフタッピング作用で前記雄ネジ部（２５）が、挿入孔（１２ａ）の内面に食い込みながら奥に進行することとなる。
そして、挿入子（２０ａ）が前記小径部分（１３ａ）に至ることで、当該個所の外径を膨張させセラミック製本体（１１０）の内面に前記弾性筒状体（１０ａ）の外面を全周にわたって密着させることとなる。
その結果、前記弾性筒状体（１０ａ）には、奥に押し込む力をさほど受けずに、挿入子（２０ａ）の挿入を完了することができ、前記各実施例に比べより一層容易に密封作業を完了することができるようになる。
なお、図示しないが、前記雄ネジ部（２５）を図６の配置で下に行くほど太くなるテーパーネジとすることで、挿入子の下端近傍の太くなった部分が弾性筒の下部（１４ａ）を押し広げることにより、実施例２における挿入子の第２の膨出部に相当する作用がより大きくなり、機械的な安定度が増大し芯ぶれの恐れが少なくなる。
また、ＭＡＳによる試料管の回転方向とは逆方向の回転により、挿入子（２０ａ）を弾性筒状体（１０ａ）にねじ込むように前記雄ネジ部（２６）のネジ方向を設定することで、ＭＡＳ回転時の不測な緩みを防止できる。
セルフタッピング作用により、前記弾性筒状体（１０ａ）に破損が生じないようにする必要があるので、セルフタッピング作用を生じる限度で、前記雄ネジ部（２５）のネジの谷をできるだけ浅くするのが望ましい。
また、挿入子の溝（２６）の機械的強度に余裕が少ない場合は、作業者の熟練の度合いによっては、溝（２６）をつぶしてしまう恐れがある。それに備えるための工夫として、挿入子（２０ａ）のネジ部の長さを長く取って、前記弾性筒状体（１０ａ）よりはるかに突出するように成形し、ダブルナットで把持し締結の後、余分を切断する構成とすることもできる。
【実施例４】
【００２１】
本実施例は、図５に示すように、実施例１の前記弾性筒状体（１０）の硬質カバー（１５）を省略し、替わりに挿入子（２０ｂ）に、前記硬質カバーに相当するフランジ部分（２４）が設けられている構造を例示する。
挿入子（２０ｂ）のフランジ部分（２４）には、前記弾性筒状体（１０）のストッパー（１３）を挿入する環状溝（２５）が形成してあり、前記弾性筒状体（１０）に挿入子（２０ｂ）が完全に挿入された状態では、ストッパー（１３）が前記環状溝（２５）内に入って取り囲むので、この部分の剛性が増すこととなる。類似の構成は実施例１〜３でも可能である。
【実施例５】
【００２２】
本実施例は、前記実施例４における螺進構造をより発展させ、ネジを外側に向かって螺進させることで、密封するようにした下栓の例を図６に参照して示す。
セラミック製本体（１１０）の下部に挿入可能なＰＥＥＫ製の雌ネジ筒（７０）と、この雌ネジ筒（７０）の上側に配置され、上方に向かって大径となるテーパー挿入孔（５１）を有するテフロン（登録商標）製の弾性筒状体（５０）と、前記雌ネジ筒（７０）の雌ネジ（７２）に螺合する雄ネジ部（６２）とその上端に形成した部分球状の大径頭部（６１）とマイナスドライバー挿入用の溝（６３）とにより構成されたＰＥＥＫ製の硬質の挿入子（６０）とにより構成されている。
前記弾性筒状体（５０）の変形が生じないようにして、これを通した前記挿入子（６０）を前記雌ネジ筒（７０）の雌ネジ（７２）にねじ込んで、この三者をあらかじめ組み上げておき、前記雌ネジ筒（７０）の下端に形成したフランジ部（７３）が、前記セラミック製本体（１１０）の下端にあたるまで挿入する。挿入部（７１）は、その外径が本体内面（１１２）よりも僅かに大きく成形されており、セラミック製本体（１１０）に圧入されることにより嵌め合いが可能となっており、機械的に固定される。この嵌め合いは、前述の、タービン翼キャップの挿入部（１２２）と本体内面（１１２）との嵌め合いと同様のものである。
次に、前記雌ネジ筒（７０）の内側を通してマイナスドライバーを挿入し、前記挿入子（６０）を回転させて下方に進行させると、前記弾性筒状体（５０）は前記大径頭部（６１）とテーパー挿入孔（５１）の径差により、徐々に変形して外周面が膨張し、前記本体（１１０）の内面に密着して密封することとなる。
以上の一連の操作を、前記実施例１と同様に上下を反転させて行うことで、試料（Ｓ）を内部に収納したまま、密封することができた。
このようにすることで、前記挿入子（６０）は、わずかでも外側に移動して密封することとなるので、下栓全体として上方への吸引力が作用することとなる。
この結果、下栓はより外れにくくなるものである。
【実施例６】
【００２３】
前記実施例５において、前記大径頭部（６１）の形状は後述の図８に示すようなテーパー形状（６１ｂ）とすることもできる。テーパー形状（６１ｂ）とした場合は、挿入孔（５１）のテーパー面と面で接するため、挿入子（６０）の移動に対する弾性筒状体（５０）の体積変化および体積圧縮の量が大きくなるので、少ない移動量で密封を完了できる。一方で、テーパー面の僅かな凹凸によって、気密が不十分となる可能性があり、加工精度を要求する。それに比べて、前記大径頭部（６１）の形状では、密着部分が接線近傍の一部に集中して、その部分で挿入孔（５１）に大きな変形をもたらすため、多少の凹凸はカバーされ挿入孔（５１）のテーパー面の工作精度に対する要求が小さいという利点がある。
本実施例は、これらのバランスを取るために、頭部を球状ではなく、図7に示すように、上下中間部が少々凸状に膨らんだテーパー状にした頭部（６１ａ）にした例である。
その他の点は、前記実施例５と同様なので詳しい説明は省略する。
なお、図７中の右端に示したグラフは、弾性筒状体（５０）の密着圧力の変化を模式的に示したものである。全体的に密着しつつ、中央部で特に強い密着圧力を示し、バランスが良い。
【実施例７】
【００２４】
試料収納空間（Ｓ）の位置は、コイルの作る高周波磁場の均一度が良好な中央部分に配置するのが望ましい。高周波磁場の均一度が悪い個所にまで試料が存在すると、当該個所の試料からの信号により、測定信号の線幅や線形が悪化し、測定精度の悪化をもたらす恐れがある。
このため、前記実施例５および実施例６では、できるだけ雌ネジ筒（７０）の突入長さを大きくして、試料収納空間（Ｓ）に余分な空間を与えないようにしてある。ところが、一般にＰＥＥＫ等の材料はテフロン（登録商標）と比べて電磁的な高周波特性が悪く、また、バックグラウンド信号の原因ともなり易いので、試料近傍に設定するのが好ましくない場合がある。また、テフロン（登録商標）も、測定に際しては夾雑物であるので、試料近傍に大量に配置するのは望ましくない。
このような視点から、本実施例は、前記実施例５の思想をさらに発展しつつ、試料収納空間（Ｓ）を効果的に制限する手段を例示するものである。
当実施例は、図８に示すように、前記弾性筒状体を利用して、その上部に、排除空間（Ｓ’）を形成できるようにしたものである。
具体的には、弾性筒状体（５０ｂ）を、前記実施例５で示した弾性筒状体の上部を、さらに上部に延長して、上部筒（５３ｂ）を形成した形状としたもので、その上端に、この空間（Ｓ’）の上面を密封するキャップ（５５ｂ）をはめ込み可能にしたものである。
このようにして、前記弾性筒状体（５０ｂ）による前記本体（１１０）の密封個所よりも上方の空間に、前記試料空間（Ｓ）には連続しない排除空間（Ｓ’）を形成できるようにしたものである。
この排除空間（Ｓ’）は、ＮＭＲ測定に影響を与えない物質で満たされていることが望ましい。空気などの気体は低密度なので、ＮＭＲ測定に影響を与え難い物質として優れているので、多くの場合、排除空間は空気で満たしておくのがよい。
その他の実施例、例えば、実施例１〜４の場合においても、挿入子（２０）と試料空間（Ｓ）との間に同様の排除空間を設定することは有効なので、それらの実施例においても、挿入子の突入長さの設定に際しては排除空間の確保について留意することが望ましい。また、上栓（３０）の穿孔（３２）には、このような排除空間としての作用がある。
なお、雌ネジ筒（７０ａ）は、挿入子（６０ｂ）を螺進させるのに必要な長さを有している。
雄ネジ筒（７０ａ）は、雌ネジ（７２ａ）、と下部のフランジ部（７３ａ）とにより構成されている。
３者の組み立て後に、前記キャップ（５５ｂ）を弾性筒状体（５０ｂ）の上端にかぶせる以外は、前記実施例５と同様な手順で用いるので、その他の点は説明を省略する。
なお、挿入子（６０ｂ）は、前記弾性筒状体（５０ｂ）のテーパ孔（５１ｂ）と同様な大きさをもったテーパー状に頭部が形成されている。このようにして当該テーパ孔（５１ｂ）の全長にわたって略均等に膨張して密封することとなるようにしてある。
なお、弾性筒状体（５０ｂ）とキャップ（５５ｂ）とを予め一体で形成し、挿入子（６０ｂ）を、弾性筒状体（５０ｂ）の弾性変形を利用して小径部（５２ｂ）方向から圧入するような構成とすることも出来る。この構成は、弾性筒状体（５０ｂ）とキャップ（５５ｂ）との間の接合が、試料により侵されるかも知れないという不安要素を排除したい場合に有効である。
【００２５】
実施例５〜７において、雌ネジ筒（７０）をセラミック製本体（１１０）に組付けるとき、余分な空気は、主として雌ネジ（７２）とそれに螺合する雄ネジ部（６２）との間の、僅かな噛合いの隙間から排出される。この排出を確実にするために、挿入部（７１）には、図９に示すように、切り欠き（７４ｂ）を回転対称的な配置で設定すると良い。
【実施例８】
【００２６】
本実施例は、前記実施例３、５，６，７の挿入子の底部に形成したドライバー溝は、マイナスに限らず、図１０に示すように、十字ミゾ（６３ｉ）、六角穴（６３ｉｉ）、星型穴（６３ｉｉｉ）などが可能である。
それぞれ、２回、４回、６回、５回の回転対称性をもつ。この部品の回転対象性をｍとし、駆動系の回転対称性（例えばタービン翼の枚数）をｎとすると、ｍとｎとが互いに素になるような数ｍを選ぶことにより、回転の高次の振動数における部品の共振を予防することができるので、その種の共振が問題となったときは、回転対象性を変えてみると良い場合がある。
これらの形状は加工の容易さや耐久性等を考慮して目的に応じて選択することができる。軸受の噴出し口やタービン駆動噴出し口、タービン翼の回転対称性は、しばしば６，７，８等であるので、図示したものは耐力や耐久性が優れているうえ、対称性の相性もよく、多くの場合優れた選択となる。
【実施例９】
【００２７】
ここで試料が比較的低粘度で流動性のある液状試料である場合における、試料の回転追随性の改善方法について記す。
ＭＡＳ測定のとき、試料はその全周を一体となって等角速度で回転運動する試料管に取り囲まれているので、静止状態から試料管が回転をし始めると、流動性のある液状試料はその粘性によって試料管の内壁に接している部分から徐々に引きずられるようにして回転をし始める。内壁から離れている部分へは回転運動は試料の粘性によって伝えられるので、内部の回転速度は、試料管の回転速度に若干遅れる傾向にある。試料が粘性を持っていれば、試料管が等角速度で回転するようになって充分な時間が経過したのちは、回転速度差は徐々に緩和して試料も試料管と等角速度で回転運動することとなる。このような背景の中、低粘度の液状試料を扱う場合、試料の回転運動の追随性を確実にしたい場合がある。その目的のための工夫を、本実施例で示す。（図１１、１２参照）。
上栓（３０ａ）の下面に、図１１に示す板状の攪拌子（８０）の上部を嵌め込む溝（３３ａ）を形成した他は、前記実施例１と同様な構成とする。
前記攪拌子（８０）は、図１１に示すように、試料収納空間（Ｓ）を左右に２分割するもので、上端部は、前記嵌め込む溝（３３ａ）に支えられ、下端部は、弾性筒状体（１０）の上端面の弾性変形により保持されている。
また攪拌子（８０）は中心部分が厚く、外周部が薄い構造をとることが望ましい。この理由は、内周部は測定コイルから遠いため、ＮＭＲ信号の測定感度が外周部と比較して低いためである。すなわち、夾雑物である攪拌子（８０）の強度を保つための構造を、なるべく測定に影響しない中心部分に設定するためである。また、攪拌子（８０）は試料を攪拌すれば十分であり、セラミック製本体（１１０）との間には隙間があっても良い。
攪拌子（８０）は測定コイルの内側に入るので、バックグラウンド信号等の影響が大きいので、材質の選択はその点を考慮して決められる。多くの場合、セラミクス製本体（１１０）と同じ材質のセラミクスを用いると良い結果が得られる。但し、セラミクス部品は高価なので、目的に応じて、ダイフロン（登録商標）等の樹脂を使うこともできる。
なお、図１２は、十字型の攪拌子（８０ａ）を示し、試料収納空間（Ｓ）を４分割する例を示している。上栓（３０ｂ）の下面には、前記攪拌子（８０ａ）に合わせた十字型の溝（３３ｂ）が形成してある。この様に構成することにより、攪拌子（８０ａ）の位置は回転の中心部に固定され、セラミック製本体（１１０）との間に隙間があっても機械的に安定する。その他は、前記実施例９と同様である。
このようにして、試料収納空間（Ｓ）の分割数を増やすことで、試料の回転追随性を改善することができるが、その分だけ攪拌子に追い出される形で試料の充填量が減少し、信号強度が減じることとなるので、目的に応じて使い分けることが望ましい。
なお、攪拌子の断面形状は前記のような板状で限らず、三角、四角等の角軸状、長手方向で、分割されるなど、攪拌機能を有しながら試料収納空間（Ｓ）をできるだけ広く確保するようにするのが望ましい。
なお本実施例には、前記いずれの実施例をも容易に適用できる。
【００２８】
実施例９のような、試料収納空間（Ｓ）の攪拌子によらずに、試料の回転追随性を改善する方法としては以下のようなことが掲げられる。
１）  連続多孔性材料を試料収納空間（Ｓ）中に充填し、これに液状の試料を含浸させる。
連続多孔性材料としては、ウレタンスポンジなどの合成樹脂製多孔性材料や、寒天やゼラチン等のゲル状物質を所定の形状に成形して凍結乾燥した海綿状物質などを用いることができる。
２）  前記１）の連続多孔性材料として、液状試料と溶解してこれをゲル化する材料でできたもの（試料が水溶性である場合の寒天やゼラチンなど）であれば、液状試料をゲル状試料として取り扱う事ができる。
３）  セラミクス製本体の内面（１１２）の断面形状を図１３（ａ）に示すように五角形（１１２ａ）、図１３（ｂ）のように六角形（１１２ｂ）とするなど、多角形断面としたり、図１３（ｃ）のように一部弧状にした部分円形（１１２ｃ）とすることによっても、攪拌機能は得られる。
このようにした場合は、これに挿入される各部品も同様な断面形状することにより実施可能である。また、当該断面形状を試料収納空間（Ｓ）のみに採用し、その他は円形とすることによっても同様な効果を得ることが可能である。
４）  さらに、前記各実施例のように全体に内面（１１２）を円形断面とし、試料収納空間（Ｓ）の一側部に棒状体などを配置することによっても攪拌機能を発現させることができる。たとえば、上栓（３０）（３０ａ）の下面一側部に、この収納空間（Ｓ）の太さからすれば極小さい太さの棒状体を下方に延ばして一体化しておくと、組み立て状態で、前記収納空間（Ｓ）の一側に前記棒状体が位置することとなり、回転とともに、前記収納空間（Ｓ）内の試料を攪拌することとなる。
【００２９】
図１５には実施例６の試料管（外径４ｍｍ）を用いて、実際にＮＭＲ測定を行って得られた１３Ｃ−ＭＡＳ−ＮＭＲスペクトルを示す。測定は、ビスフェノール系未硬化液状エポキシ樹脂について、１Ｈ−５００ＭＨｚパルスＮＭＲ装置（日本電子株式会社製ＥＣＡ５００）を用いて、シングルパルス法によって行われた。横軸は化学シフト、縦軸は信号強度を示す。ＭＡＳの回転速度はそれぞれ（ａ）０Ｈｚ（ｂ）８ｋＨｚ（ｃ）１６ｋＨｚである。（ａ）はＭＡＳを行わない場合、すなわち、本発明を用いない場合に相当する。ＭＡＳにより分解能が向上し信号強度が大きくなっていく様子が窺われる。特に、高速ＭＡＳ下の（ｃ）では、分解能が著しく向上し、隣接１Ｈ原子との結合による信号の微細な分裂が観測されるようになっている。この結果は、本発明が、実際に固体試料の場合と同様の高速ＭＡＳ測定に利用でき、ＭＡＳ−ＮＭＲ測定の適用範囲を液状試料へと広げる、画期的なものであることを示している。
【図面の簡単な説明】
【００３０】
【図１】実施例１を示す分解斜視図。
【図２】実施例１を示す縦断正面図。
【図３】実施例２の弾性筒状体を示す縦断正面図。
【図４】実施例３の弾性筒状体を示す縦断正面図と同を示す正面図。
【図５】実施例４の弾性筒状体と挿入子を示す縦断正面図。
【図６】実施例５の弾性筒状体と挿入子及び雌ネジ筒を示す正面図およびそれらの使用状態を示す縦断正面図。
【図７】実施例６の挿入子を示す正面図およびそれらの使用状態を示す縦断正面図。
【図８】実施例７のキャップ、弾性筒状体と挿入子及び雌ネジ筒を示す正面図およびそれらの使用状態を示す縦断正面図。
【図９】雌ネジ筒の改良案を示す斜視図。
【図１０】実施例８の挿入子の底面を示す底面図。
【図１１】実施例９の上栓を示す正面図、攪拌子を示す斜視、及びそれらの使用状態を示す縦断正面図。
【図１２】実施例９の別形態の上栓を示す正面図、別形態の攪拌子を示す斜視、及びそれらの使用状態を示す縦断正面図。
【図１３】セラミクス製本体の内面の断面形状を示す縦断平面図。
【図１４】従来の試料管を示す縦断正面図。
【図１５】本発明の試料管を用いて測定されたＭＡＳ−ＮＭＲスペクトル。
【符号の説明】
【００３１】
（１１０）セラミクス製本体
（１１２）（１１２ａ）（１１２ｂ）（１１２ｃ）セラミクス製本体の内面
（１２０）タービン翼キャップ
（１２１）タービン翼
（１２２）挿入部
（１０）（１０ａ）（５０）（５０ｂ）弾性筒状体
（１１）弾性本体
（１２）（１２ａ）（５１）（５１ｂ）挿入孔
（１３）ストッパー
（１３ａ）小径部分
（１４ａ）大径部分
（１５）硬質カバー
（５３ｂ）上部筒
（５５ｂ）キャップ
（５２）（５２ｂ）小径部
（２０）（２０ａ）（２０ｂ）（６０）（６０ａ）（６０ｂ）挿入子
（２１）（２２）膨出部
（２３）穿孔
（２４）フランジ部分
（２５）環状溝
（２６）雄ネジ部
（２７）小径頭部
（２８）ドライバー挿入用溝
（３０）（３０ａ）（３０ｂ）テフロン（登録商標）製上栓
（３１）膨出部
（３２）メクラ孔状の穿孔
（３３ａ）（３３ｂ）溝
（６１）（６１ａ）頭部
（６２）雄ネジ部
（６３）ドライバー挿入用溝
（６３ｉ）十字ミゾ
（６３ｉｉ）六角穴
（６３ｉｉｉ）星型穴
（７０）（７０ａ）（７０ｂ）雌ネジ筒
（７２）（７２ａ）（７２ｂ）雌ネジ
（７３）（７３ａ）（７３ｂ）フランジ部
（７４ｂ）切り欠き
（８０）（８０ａ）攪拌子
（Ｄ）直径
（Ｓ’）排除空間
（Ｓ）試料収納空間
【図１】
2010145104.tif 000003
【図２】
2010145104.tif 000004
【図３】
2010145104.tif 000005
【図４】
2010145104.tif 000006
【図５】
2010145104.tif 000007
【図６】
2010145104.tif 000008
【図７】
2010145104.tif 000009
【図８】
2010145104.tif 000010
【図９】
2010145104.tif 000011
【図１０】
2010145104.tif 000012
【図１１】
2010145104.tif 000013
【図１２】
2010145104.tif 000014
【図１３】
2010145104.tif 000015
【図１４】
2010145104.tif 000016
【図１５】
2010145104.tif 000017